(57)【要約】【課題】  従来のパチスロ機では、回路装置の着脱作業に非常に手間がかかっていた。【解決手段】  サブ制御基板１００が収納されるサブ制御基板ケース８０を構成するベース部８２の周囲の長辺部分には、先端８６が根元８７に対して鉤状に曲がってベース部８２の裏面側に突出した形状を有する突出片８８が形成されている。また、液晶ホルダ６０の盛り上がり部６１の上面周囲には、挿入部６３と挿入部６３よりも開口面積の狭い係止部６４とからなる開口６５が形成されている。サブ制御基板ケース８０は、突出片８８が開口６５に係合すると、すなわち、突出片８８の先端８６および根元８７が開口６５の挿入部６３に挿入されて根元８７が係止部６４まで移動すると、この根元８７が係止部６４に引っ掛かり、盛り上がり部６１の凹部６２を塞ぐ位置に取り付けられる。【選択図】  図１１
2007312874.tif 000002
【特許請求の範囲】
【請求項１】
遊技に関する種々の情報を表示する液晶表示部と、
この液晶表示部をその背面を覆って保持する液晶ホルダと、
前記液晶表示部における表示を制御する制御基板と、
この制御基板を収納する基板ケースとを備えて構成される遊技機において、
前記基板ケースはその裏面に係合部が形成され、
前記液晶ホルダはその背面に前記係合部に係合する被係合部が形成されていることを特徴とする遊技機。
【請求項２】
前記係合部および前記被係合部は、いずれか一方が、先端が曲がって突出する突出片からなり、他方が、前記突出片の前記先端および根元が挿入される挿入部と、この挿入部に連続して形成され、前記挿入部に挿入された前記突出片の前記根元のみを通す前記挿入部より狭い開口面積の係止部とを有する開口からなることを特徴とする請求項１に記載の遊技機。
【請求項３】
前記液晶表示部と前記制御基板とを中継する液晶中継基板を備え、
前記液晶ホルダは、前記液晶中継基板を収納する凹部がその背面に、前記被係合部が前記凹部の周囲の背面に形成され、
前記基板ケースは、前記係合部が前記被係合部に係合すると、前記凹部を塞ぐ位置に取り付けられることを特徴とする請求項１または請求項２に記載の遊技機。
【請求項４】
前記液晶ホルダは、前記凹部の周囲の背面が盛り上がって形成され、この盛り上がり部の側面には前記凹部に貫通する貫通口が形成され、この貫通口の上部の前記背面には被取付部が形成されており、
前記基板ケースは、その周囲に締結部材によって前記被取付部に締結される取付部が形成され、
前記凹部に収納された前記液晶中継基板と前記基板ケースに収納された前記制御基板とは、前記液晶中継基板から前記貫通口を通り、前記取付部と前記被取付部との締結部を覆って前記液晶中継基板の上方に位置する前記制御基板側に折り返される配線部材によって電気的に接続されることを特徴とする請求項３に記載の遊技機。
【発明の詳細な説明】
【技術分野】
【０００１】
本発明は、遊技に関する種々の情報を表示する液晶表示部と、この液晶表示部における表示を制御する制御基板とを備えた遊技機に関するものである。
【背景技術】
【０００２】
従来、この種の遊技機としては、例えば、下記の特許文献１に開示されているパチスロ機がある。このパチスロ機には、液晶表示装置の制御などを行なう回路基板（制御基板）を収納した回路装置が設けられている。回路装置は、透明カバー、回路基板、および基台で構成されている。回路基板は放熱ブロックを備えており、基台の上面に固定されて、放熱ブロックが外部に露出するように開口部が形成された箱状の透明カバーに覆われている。基台の側面には取付ボスが形成されており、この取付ボスに形成された穴にネジが挿通されてキャビネットの内側面に基台がネジ止めされることで、回路装置は、キャビネットの内側面に固定される。
【特許文献１】特開２００３−９３６９８号公報（段落[００１２]〜[００１４]）
【発明の開示】
【発明が解決しようとする課題】
【０００３】
しかしながら、上記の特許文献１に開示されているようなパチスロ機では、回路装置をキャビネット内側面に対して着脱する際に、基台を手で支持しながらネジの取り付けや取り外しを行なう必要がある。このため、上記従来のようなパチスロ機では、回路装置の着脱作業に非常に手間がかかっていた。また、回路装置のキャビネット内側面への固定に多くのネジを必要とすることから、遊技機を構成する部品点数が多かった。この結果、上記従来のようなパチスロ機では、遊技機の製造コストが低減されていなかった。
【課題を解決するための手段】
【０００４】
本発明はこのような課題を解決するためになされたもので、
遊技に関する種々の情報を表示する液晶表示部と、
この液晶表示部をその背面を覆って保持する液晶ホルダと、
液晶表示部における表示を制御する制御基板と、
この制御基板を収納する基板ケースとを備えて構成される遊技機において、
基板ケースはその裏面に係合部が形成され、
液晶ホルダはその背面に上記係合部に係合する被係合部が形成されていることを特徴とする。
【０００５】
この構成によれば、基板ケースに形成された係合部が液晶ホルダに形成された被係合部に係合することで、制御基板を収納する基板ケースが液晶ホルダの背面に支持される。このため、ネジなどの締結部材を用いることなく、基板ケースの係合部を液晶ホルダの被係合部に係合させるだけで、基板ケースを液晶ホルダの背面に容易に固定することができるようになる。従って、従来のように基板ケースを手で支持しながらネジなどの締結部材の取り付けや取り外しを行なう必要がなくなるので、基板ケースの着脱作業は手間がかからなくなって簡単に行え、また、遊技機を構成する部品点数は少なくなる。この結果、遊技機の製造コストを削減できるようになる。
【０００６】
また、本発明は、係合部および被係合部が、いずれか一方が、先端が曲がって突出する突出片からなり、他方が、この突出片の先端および根元が挿入される挿入部と、この挿入部に連続して形成され、挿入部に挿入された突出片の根元のみを通す挿入部より狭い開口面積の係止部とを有する開口からなることを特徴とする。
【０００７】
この構成によれば、基板ケースの液晶ホルダ背面への取り付けは、突出片の先端および根元を挿入部に挿入して、この状態で基板ケースを液晶ホルダの背面に沿って移動させて、突出片の根元を係止部まで移動させることによって行なうことができるようになる。つまり、突出片の根元を係止部まで移動させると、突出片の根元だけが係止部に嵌入し、突出片の曲がった先端は、係止部の近傍における液晶ホルダ背面の内側または基板ケース裏面の内側に引っ掛かり、突出片が開口から抜けなくなって、基板ケースに形成された係合部が液晶ホルダに形成された被係合部に係合されて取り付けられる。このため、突出片を開口に挿入して基板ケースを移動させるだけで、基板ケースを容易に液晶ホルダの背面に支持させることができるようになる。
【０００８】
また、本発明は、液晶表示部と制御基板とを中継する液晶中継基板を備え、
液晶ホルダが、液晶中継基板を収納する凹部がその背面に、被係合部が凹部の周囲の背面に形成され、
基板ケースが、係合部が被係合部に係合すると、凹部を塞ぐ位置に取り付けられることを特徴とする。
【０００９】
この構成によれば、液晶ホルダの背面の凹部に液晶中継基板が収納された状態で、基板ケースの係合部が液晶ホルダの被係合部に係合して基板ケースが液晶ホルダの背面に取り付けられると、この取り付けられた基板ケースによって液晶ホルダの背面の凹部が塞がれ、液晶中継基板は、基板ケースの裏面によって覆われる。このため、液晶中継基板は、基板ケースを液晶ホルダの背面に取り付けるだけで凹部に収納されるようになり、専用の収納ケースなどに収納する必要がなくなる。この結果、液晶中継基板を専用の収納ケースなどに収納する場合に比べて部品点数が減り、遊技機の製造コストを削減できるようになる。
【００１０】
また、本発明は、液晶ホルダが、凹部の周囲の背面が盛り上がって形成され、この盛り上がり部の側面には凹部に貫通する貫通口が形成され、この貫通口の上部の背面には被取付部が形成されており、
基板ケースが、その周囲に締結部材によって被取付部に締結される取付部が形成され、
凹部に収納された液晶中継基板と基板ケースに収納された制御基板とは、液晶中継基板から貫通口を通り、取付部と被取付部との締結部を覆って液晶中継基板の上方に位置する制御基板側に折り返される配線部材によって電気的に接続されることを特徴とする。
【００１１】
この構成によれば、基板ケースの係合部が液晶ホルダの被係合部に係合して基板ケースが液晶ホルダに取り付けられた後、締結部材によって基板ケースの取付部が液晶ホルダの被取付部に締結されることで、基板ケースは液晶ホルダの背面の盛り上がり部に固定される。凹部に収納された液晶中継基板と基板ケースに収納された制御基板との電気的接続は、液晶中継基板から盛り上がり部の側面の貫通口を通り、取付部と被取付部との締結部を覆って液晶中継基板の上方に位置する制御基板側に折り返される配線部材によって行なわれる。このため、取付部と被取付部とを締結する締結部材は、液晶中継基板と制御基板とを接続する配線部材によって覆われるので、締結部材による締結を解いて基板ケースを液晶ホルダの背面から取り外す際には、最初に配線部材を取り外して配線部材の電気的接続を解き、配線部材により覆われていた締結部材を露出させなければならない。従って、基板ケースの取り外し時には必ず配線部材を取り外さなければならず、配線部材を取り外すのを忘れて配線部材による各基板間の電気的接続が行なわれたままの状態で、基板ケースを液晶ホルダの背面に沿って移動させることにより、配線部材自体や配線部材と各基板との接続部分などを破損させてしまう事態を未然に防止できるようになる。
【発明の効果】
【００１２】
本発明による遊技機によれば、上記のように、基板ケースの着脱作業は手間がかからなくなって簡単に行え、また、遊技機を構成する部品点数は少なくなる。この結果、遊技機の製造コストを削減できるようになる。
【発明を実施するための最良の形態】
【００１３】
次に、本発明を実施するための最良の形態について説明する。
【００１４】
図１は、本実施形態によるパチスロ機１の外観を示す正面図である。
【００１５】
パチスロ機１は、筐体の前面に前面ドア１Ａを備えて構成されている。前面ドア１Ａは、パチスロ機１の図示しない筐体の前面開口を塞ぐ扉体であり、その片側が筐体の前面の片側に開閉自在に軸支される。筐体内部には、パチスロ機１における遊技動作を制御する各種基板をはじめ、パチスロ遊技に用いられる各種機器が収納されている。また、前面ドア１Ａの中央部にはミニリール表示窓部１３が設けられている。ミニリール表示窓部１３の背後には、３個のミニリール４０ａ，４０ｂ，４０ｃ（図２および図３参照）が回転自在に設けられている。各ミニリール４０ａ〜４０ｃの外周面には複数種類の図柄（以下、シンボルという）から成るシンボル列が描かれている。ミニリール表示窓部１３に形成された図示しない３個の表示窓を通して、各ミニリール４０ａ〜４０ｃの外周面に描かれたシンボルがそれぞれ３個ずつ観察される。また、ミニリール表示窓部１３の上方には、２０インチの大型の透明液晶からなる液晶表示装置１１が設けられている。液晶表示装置１１の表示画面には、演出画像などの種々の情報が表示される。液晶表示装置１１は、遊技に関する種々の情報を表示する液晶表示部を構成している。
【００１６】
ミニリール４０ａ〜４０ｃは、図２に示す回転リールユニットとして構成されており、フレーム４１にブラケット４２を介して取り付けられている。各ミニリール４０ａ〜４０ｃは、リールドラム４３の外周にリール帯４４が貼られて構成されており、リール帯４４の外周面には上述したシンボル列が描かれている。また、各ブラケット４２にはステッピングモータ（回胴モータ）４５が設けられており、各ミニリール４０ａ〜４０ｃはこれらステッピングモータ４５が駆動されて回転する。また、回転リールユニットの近傍には、各ミニリール４０ａ〜４０ｃの照明用の図示しないバックライト２１４（図１２参照）が設けられている。
【００１７】
各ミニリール４０ａ〜４０ｃの構造は図３（ａ）に示される。なお、同図において図２と同一部分には同一符号を付してその説明は省略する。
【００１８】
リール帯４４の背後のリールドラム４３内部にはランプケース４６が設けられており、このランプケース４６の３個の各部屋にはそれぞれバックランプ４７ａ，４７ｂ，４７ｃが取り付けられている。これら各バックランプ４７ａ〜４７ｃは発光光量の大きい白色ＬＥＤ（発光ダイオード）からなり、同図（ｂ）に示すようにフォトセンサ図柄表示基板４８に実装されて、このフォトセンサ図柄表示基板４８がランプケース４６の背後に取り付けられている。これら各バックランプ４７ａ〜４７ｃの点灯により、リール帯４４に描かれたシンボルの内、各バックランプ４７の前部に位置する３個のシンボルが背後から個別に照らし出され、ミニリール表示窓部１３の各表示窓にそれぞれ３個ずつのシンボルが映し出される。また、ブラケット４２にはフォトセンサ４９が取り付けられている。このフォトセンサ４９は、フォトセンサ図柄表示基板４８に接続されており、リールドラム４３に設けられた遮蔽板５０がリールドラム４３の回転に伴ってフォトセンサ４９を通過するのを検出する。
【００１９】
また、図１に示すように、ミニリール表示窓部１３の右側には、遊技者が遊技媒体であるメダルを投入するためのメダル投入口１２が設けられている。また、ミニリール表示窓部１３の左側には、１貯留メダル投入ボタン（１ＢＥＴボタン）１４ａ、３貯留メダル投入ボタン（ＭＡＸＢＥＴボタン）１４ｂ、選択ボタン１５ａ、および決定ボタン１５ｂが設けられている。各貯留メダル投入ボタン１４ａ，１４ｂは、メダルがクレジットされている際にメダル投入口１２へのメダル投入に代えて１回のゲームに１枚または３枚のメダルを賭ける際に使用される。選択ボタン１５ａは、液晶表示装置１１における表示項目の選択に用いられる。また、決定ボタン１５ｂは、選択ボタン１５ａに対する操作によって選択された表示項目の決定に用いられる。
【００２０】
また、ミニリール表示窓部１３の下方には、左側から、精算ボタン１６、スタートレバー１７、および停止ボタン１８ａ，１８ｂ，１８ｃが設けられている。精算ボタン１６は、パチスロ機１内部にメダルをクレジットして遊技を行なうか直接メダル投入口１２にメダルを投入して遊技を行なうかを切り替える際、およびパチスロ機１内部にクレジットされている全てのメダルを払い出して精算する際に使用される。また、スタートレバー１７の操作により、ミニリール表示窓部１３の背後のミニリール４０ａ〜４０ｃの回転が一斉に開始される。各停止ボタン１８ａ〜１８ｃは、各ミニリール４０ａ〜４０ｃに対応して配置されており、各ミニリール４０ａ〜４０ｃの回転が一定速度に達したときそれぞれ操作が有効化され、遊技者の操作に応じてミニリール４０ａ〜４０ｃの回転は停止する。
【００２１】
また、液晶表示装置１１の上方には、装飾用の上部ＬＥＤ１４１（図１２参照）を覆う上部レンズカバー２１が取り付けられており、液晶表示装置１１の両側には、装飾用のサイドＬＥＤ１４２（図１２参照）を覆うサイドレンズカバー２３が取り付けられている。上部レンズカバー２１の両側には、放音口２２ａを有するスピーカカバー２２が設けられており、このスピーカカバー２２の内部にはスピーカ２０が設けられている。また、前面ドア１Ａの正面下部には腰部ガラス３が設けられており、この腰部ガラス３の下方にはメダル受皿１９が設けられている。メダル受皿１９はメダル払出口１９ａから払い出されるメダルを貯めるものである。
【００２２】
図４は、前面ドア１Ａの裏面の構造を示す裏面図である。なお、同図において図１と同一部分には同一の符号を付してその説明は省略する。
【００２３】
前面ドア１Ａの裏面のミニリール表示窓部１３を覆う位置には、上述した回転リールユニット（図２参照）と一体化されたミドルドア（図示せず）が、前面ドア１Ａにヒンジで回動自在に設けられる。また、ミニリール表示窓部１３の下方左側には、メダル投入口１２から投入されたメダルの選別を行ない、その投入枚数をカウントするセレクタ（メダルセレクタ）３０が設けられている。また、セレクタ３０の下方には、腰部ガラス３を振動させて演出を行う振動スピーカ３１が設けられている。また、ミニリール表示窓部１３の上方には、上述した液晶表示装置１１をその背面を覆って保持する液晶ホルダ６０が設けられている。この液晶ホルダ６０の裏面には、パチスロ遊技における種々の演出処理を行なう後述するサブ制御基板１００が収納されたサブ制御基板ケース８０が固定されている。
【００２４】
図５は、図４に示す液晶ホルダ６０の背面の構造を示す拡大斜視図である。
【００２５】
液晶ホルダ６０の前面には、上述した液晶表示装置１１が取り付けられている。また、液晶ホルダ６０の裏面には、矩形状に盛り上がって形成された盛り上がり部（凸部）６１が形成されており、盛り上がり部６１の側面には、複数のスリット状の開口部６１ａが形成されている。この盛り上がり部６１の左側上面にはサブ制御基板ケース８０が載置されており、また、盛り上がり部６１の右側上面には、後述するサブ中継基板１４０およびメインサブ中継基板１５０（図１２参照）が収納された中継基板ケース１３０が載置されている。サブ中継基板１４０には、後述する各種基板と接続されるコネクタ１４１，１４２，１４３およびサブ制御基板１００と接続されるコネクタ１４４（図９参照）が実装されており、これら各コネクタ１４１〜１４４は、中継基板ケース１３０の周囲に形成された開口部から外部に露出している。
【００２６】
図６は、図５に示す液晶ホルダ６０から取り外されたサブ制御基板ケース８０を示す平面図である。また、図７は、図６に示すサブ制御基板ケース８０の内部構造を示す分解斜視図であるが、図６と左右が逆になっている。また、図８は、図６に示すサブ制御基板ケース８０の裏面の構造を示す裏面図である。なお、図６〜図８において、図５と同一部分には同一の符号を付して説明する。
【００２７】
サブ制御基板ケース８０は、サブ制御基板１００を収納する基板ケースであり、図７に示すように、底の無い箱状に形成された蓋部８１および板状に形成されたベース部８２からなり、ベース部８２の上面にサブ制御基板１００および放熱板１１０が載置された状態で蓋部８１が被せられる構造を有している。
【００２８】
蓋部８１の表面には、複数の小さな円形状およびスリット状の開口部８１ａが形成されている。また、蓋部８１の周囲には、図６および図８に示すように、ネジが挿通される挿通孔８３ａ，８４ａ，８５ａを有する取付ボス８３，８４，８５が設けられている。また、ベース部８２は、図７および図８に示すように、複数の小さな円形状の開口部８２ａが形成されており、その周囲の長辺部分には４つの突出片８８が形成されている。各突出片８８は、その先端８６が根元８７に対してほぼ直角に鉤状に外方に向いて曲がって、ベース部８２の裏面側に突出した形状を有しており、サブ制御基板ケース８０の裏面に形成される係合部を構成している。
【００２９】
サブ制御基板ケース８０に収納されるサブ制御基板１００は、液晶表示装置１１における表示を制御する制御基板を構成しており、後述するメイン制御基板（主基板）１６０からの制御信号に基づいて演出制御処理を行なうサブ制御回路が形成されている。このサブ制御基板１００の部品実装面には、サブ制御回路を構成する図示しない電子部品の他、図７に示すコネクタ１０１，１０２，１０３およびヒートシンク１０５が実装されている。各コネクタ１０１，１０２は、それぞれ蓋部８１の側面に形成された開口部８１ｂ，８１ｃ（図６参照）から外部に露出しており、コネクタ１０１は後述する液晶中継基板１２０、コネクタ１０２は後述するサブ中継基板１４０と接続される。
【００３０】
コネクタ１０３には、ＲＯＭカートリッジ１０４が挿入されている。ＲＯＭカートリッジ１０４は、取り外し可能なカートリッジ方式の画像データＲＯＭであり、サブ制御基板１００は、このＲＯＭカートリッジ１０４に格納されている画像データに基づいて液晶表示装置１１に画像を表示させる。コネクタ１０３は、蓋部８１の上面部に形成された開口部８１ｄ（図６，図７参照）から外部に露出しており、ＲＯＭカートリッジ１０４は、サブ制御基板１００がサブ制御基板ケース８０に収納された状態で開口部８１ｄから挿抜が可能となっている。また、ヒートシンク１０５は、サブ制御基板１００上で発生する熱を外部に放出するための放熱部材であり、サブ制御基板１００上で発生してヒートシンク１０５に伝わった熱は主に蓋部８１の開口部８１ａから外部に放出される。
【００３１】
また、サブ制御基板１００の部品実装面の裏面側とベース部８２との間には、放熱板１１０が設けられている。放熱板１１０は、サブ制御基板１００およびベース部８２に挟持される水平部１１０ａと、この水平部１１０ａに対して略直角に折り曲げられて形成された直立部１１０ｂとからなり、断面がＬ字形をしている。直立部１１０ｂには、放熱用の複数のフィン１１２ａを備えたヒートシンク１１２が取り付けられており、このヒートシンク１１２には、複数の開口部１１３ａが形成されたヒートシンクカバー１１３が被せられている。
【００３２】
図９は、図５に示す状態においてサブ制御基板ケース８０が取り外された液晶ホルダ６０の背面の構造を示す図である。なお、図９において図５と同一部分には同一の符号を付してその説明は省略する。
【００３３】
液晶ホルダ６０の盛り上がり部６１の上面中央部には、矩形状に窪んだ凹部６２が形成されており、この凹部６２には、液晶表示装置１１とサブ中継基板１００とを中継する液晶中継基板１２０が収納されている。液晶中継基板１２０には、液晶表示装置１１と接続されるコネクタ１２１、およびサブ制御基板１００の上述したコネクタ１０１と接続されるコネクタ１２２が実装されている。コネクタ１２２と対峙する凹部６２の内側面における盛り上がり部６１の側壁には、盛り上がり部６１の外側面に貫通する貫通口６１ｂが形成されている。
【００３４】
また、液晶ホルダ６０の盛り上がり部６１の上面における凹部６２の周囲には、上述したベース部８２の裏面側に形成された各突出片８８とそれぞれ係合する、略Ｌ字状の４つの開口６５が形成されている。各開口６５は、挿入部６３とこの挿入部６３に連続して形成された係止部６４とからなる。挿入部６３は、突出片８８の先端８６および根元８７が挿入される部分である。また、係止部６４は、突出片８８の根元８７のみを通す部分であり、挿入部６３よりも狭い開口面積を有している。各開口６５は、液晶ホルダ６０の背面において各突出片８８に係合する被係合部を構成している。サブ制御基板ケース８０は、係合部を構成する各突出片８８が被係合部を構成する各開口６５に後述するように係合すると、凹部６２を塞ぐ位置に取り付けられる。
【００３５】
また、盛り上がり部６１の上面周囲には、サブ制御基板ケース８０の上述した各取付ボス８３，８４，８５と対応する位置に、ボス固定部６６，６７，６８が設けられている。これら各ボス固定部６６，６７，６８には、それぞれネジが累合するネジ穴６６ａ，６７ａ，６８ａが形成されている。ボス固定部６６〜６８は被取付部を構成しており、取付ボス８３〜８５は、締結部材であるネジによってボス固定部６６〜６８に締結される取付部を構成している。
【００３６】
図１０は、各突出片８８が各開口６５に係合してサブ制御基板ケース８０が取り付けられた液晶ホルダ６０を、上述したサブ制御基板ケース８０の開口部８１ｂ（図６参照）および液晶ホルダ６０の貫通口６１ｂ（図９参照）が形成された側面側からみた側面図である。また、図１１は、図５のX―X線で液晶ホルダ６０およびサブ制御基板ケース８０の一部を破断した矢視断面図である。なお、図１０は、サブ制御基板１００のコネクタ１０１と液晶中継基板１２０のコネクタ１２２とが接続されていない状態、図１１はこれらが接続されている状態を示している。また、図１０および図１１において図５〜図９と同一部分には同一の符号を付してその説明は省略する。
【００３７】
図１０に示すように、サブ制御基板ケース８０の蓋部８１の側面に形成された開口部８１ｂからは、内部に収納されているサブ制御基板１００の一部およびコネクタ１０１が露出している。また、液晶ホルダ６０は、上述したように、凹部６２の周囲の背面が盛り上がった盛り上がり部６１を有した形状に形成されており、この盛り上がり部６１の側面には、凹部６２に貫通する上述した貫通口６１ｂが形成されている。この貫通口６１ｂからは、凹部６２内に収納された液晶中継基板１２０の一部およびコネクタ１２２が観察される。また、開口部８１ｂの下方に形成された取付部である取付ボス８３と、貫通口６１ｂの上部の液晶ホルダ６０背面に形成された被取付部であるボス固定部６６とは、ネジ７１が挿通孔８３ａに挿通されてネジ穴６６ａに累合することによってネジ７１により締結されている。
【００３８】
上記の状態で、凹部６２に収納された液晶中継基板１２０とサブ制御基板ケース８０に収納されたサブ制御基板１００とは、両端にコネクタ部を有する帯状の配線部材（フラットケーブル）７２によって図１１に示すように電気的に接続される。つまり、配線部材７２は、一方のコネクタ部が液晶中継基板１２０のコネクタ１２２に接続されると共に、液晶中継基板１２０から貫通口６１ｂを通り、取付ボス８３とボス固定部６６との締結部におけるネジ７１を覆って、液晶中継基板１２０の上方に位置するサブ制御基板１００側に折り返された状態で配線され、他方のコネクタ部がサブ制御基板１００のコネクタ１０１に接続される。
【００３９】
図１２は、上述したパチスロ機１内部の電気的接続構成を示すブロック図である。なお、同図において、図１〜図７および図９〜図１１と同一または相当する部分には同一の符号を付して説明する。
【００４０】
パチスロ機１内部の各電気的部品は、前面ドア１Ａの裏面（図４参照）に構成される前面ドアブロック、キャビネット本体内部に構成されるキャビネットブロック２００、および、前面ドア１Ａの裏面に取り付けられる上述したミドルドアに構成されるミドルドアブロック２１０の３つのブロックに設けられている。
【００４１】
前面ドアブロックには、パチスロ機１における遊技の進行に関する種々の処理を行なう主基板１６０、および上述したサブ制御基板１００が設けられている。主基板１６０は設定スイッチを備えており、この設定スイッチが操作されることで、パチスロ機１の出玉率などが設定される。主基板１６０には、ドア中継基板１６２を介して、上述した前面ドア１Ａの前面に設けられたスタートレバー１７、各ＢＥＴボタン１４ａ，１４ｂ、停止ボタン１８ａ〜１８ｃ、および精算ボタン１６などの各操作部が接続されており、これら各操作部が操作されると、ドア中継基板１６２を介して主基板１６０へ操作信号が出力される。また、ドア中継基板１６２には、上述したセレクタ３０および打ち止め解除センサ１６３が接続されている。打ち止め解除センサ１６３は、店員により打ち止めを解除するときに使用される。
【００４２】
サブ制御基板１００は、サブ中継基板１４０およびメインサブ中継基板１５０を介して主基板１６０と接続されており、主基板１６０からの制御信号に基づき、種々の演出処理などを行なう。サブ制御基板１００には、上述したように配線部材７２によって接続される液晶中継基板１２０を介して液晶表示装置１１が接続されており、サブ制御基板１００は、ＲＯＭカートリッジ１０４から読み込んだ画像データに基づいて液晶表示装置１１で種々の演出画像を表示する。
【００４３】
サブ中継基板１４０には、遊技状態表示基板１４３を介して上述したスピーカ２０，２０（図１、図４参照）が接続されており、また、上述した上部ＬＥＤ１４１、サイドＬＥＤ１４２，１４２も接続されている。これらスピーカ２０，２０および各ＬＥＤ１４１，１４２，１４２は、サブ制御基板１００によって駆動される。また、サブ中継基板１４０には、２４時間ドア監視ユニット１４４を介して前面ドア監視スイッチ１４５およびミドルドア開閉監視スイッチ１４６が接続されている。２４時間ドア監視ユニット１４４は、各スイッチ１４５，１４６からの入力信号に基づいて前面ドア１Ａの開閉状態やミドルドアの回動状態を監視するものである。また、サブ中継基板１４０には、上述した選択ボタン１５ａおよび決定ボタン１５ｂ、振動スピーカ３１、およびインバータ基板１４７が接続されている。インバータ基板１４７は、サブ制御基板１００からの制御信号に基づいて、腰部ガラス３内部に収納される腰部装飾照明用の腰部冷陰極管１４８の発光を制御する。
【００４４】
キャビネットブロック２００には、電源ユニット２０１、キャビネット中継基板２０２および背面スピーカ２０３が設けられている。電源ユニット２０１は、主基板１６０およびキャビネット中継基板２０２に接続されて各電機部品に電源を供給している。
【００４５】
キャビネット中継基板２０２には、補助収納庫スイッチ基板２０４、外部集中端子板２０５、遊技メダル払出しカウントスイッチ２０７およびホッパーモータ２０８が接続されている。パチスロ機１のキャビネット本体内部には、メダル投入口１２から投入されたメダルを貯留すると共に上記のホッパーモータ２０８によって遊技者にメダルを払い出すためのホッパー装置２０６が設けられている。ホッパー装置２０６によって払い出されるメダルの枚数は、上記の遊技メダル払出しカウントスイッチ２０６によって計数される。また、パチスロ機１のキャビネット本体内部には、ホッパー装置２０６がメダルで満杯の際にホッパー装置２０６とは別にメダルを貯留する図示しない補助収納庫が設けられており、この補助収納庫のメダル貯留状況は上記の補助収納庫スイッチ基板２０４により監視される。この補助収納庫がメダルで満杯になると、補助収納庫スイッチ基板２０４から主基板１６０に満杯信号が出力される。また、背面スピーカ２０３は、キャビネット本体における腰部ガラス３の背面側で正面に向けて設けられており、サブ制御基板１００によってスピーカ２０，２０と共に駆動制御される。
【００４６】
ミドルドアブロック２１０には、上述したミニリール４０ａ，４０ｂ，４０ｃを有する回転リールユニットおよびバックライト２１４が設けられており、各ミニリール４０ａ，４０ｂ，４０ｃ毎に、回胴中継基板２１１，２１２，２１３が設けられている。これら各回胴中継基板２１１〜２１３は、主基板１６０と接続されており、上述したステッピングモータ４５やフォトセンサ図柄表示基板４８に実装された各バックランプ４７ａ〜４７ｃは、これら各回胴中継基板２１１〜２１３を介して主基板１６０から入力した制御信号に基づいて駆動制御される。また、バックライト２１４は、サブ中継基板１４０を介してサブ制御基板１００に接続されており、サブ制御基板１００により発光態様が制御される。
【００４７】
上記の構成において、サブ制御基板１００を液晶ホルダ６０の背面に取り付けるときには、まず、サブ制御基板１００およびヒートシンク１１２が取り付けられた放熱板１１０をベース部８２上に載置して蓋部８１を被し、サブ制御基板ケース８０に収納する。次に、このサブ制御基板ケース８０の裏面の各突出片８８の先端８６および根元８７を、液晶ホルダ６０の盛り上がり部６１の周囲の各開口６５の挿入部６３に挿入する。そして、サブ制御基板ケース８０を液晶ホルダ６０の背面に沿って移動させ、各突出片８８の根元８７を各開口６５の挿入部６３から係止部６４までスライドさせることで根元８７を係止部６４に引っ掛け、各突出片８８を各開口６５に係合させる。続いて、取付ボス８３およびボス固定部６６をネジ７１で締結すると共に、取付ボス８４およびボス固定部６７ならびに取付ボス８５およびボス固定部６８もそれぞれネジによって締結する。その後、サブ制御基板１００のコネクタ１０１および液晶中継基板１２０のコネクタ１２２の間を配線部材７２で接続することで、サブ制御基板１００の液晶ホルダ６０の背面への取り付けは完了する。
【００４８】
一方、点検修理や部品交換などの際にサブ制御基板１００を取り外すときには、まず、サブ制御基板１００のコネクタ１０１および液晶中継基板１２０のコネクタ１２２に接続されている配線部材７２を取り外す。続いて、取付ボス８３およびボス固定部６６を締結しているネジ７１を取り外すと共に、取付ボス８４およびボス固定部６７を締結しているネジならびに取付ボス８５およびボス固定部６８を締結しているネジもそれぞれ取り外す。その後、液晶ホルダ６０の盛り上がり部６１の周囲の各開口６５に係合しているサブ制御基板ケース８０の裏面の各突出片８８を、取り付けたときと逆方向にサブ制御基板ケース８０を液晶ホルダ６０の背面に沿って移動させることにより、各突出片８８の根元８７を開口６５の係止部６４から挿入部６３にスライドさせて、サブ制御基板ケース８０を液晶ホルダ６０から取り外す。そして、このようにして取り外されたサブ制御基板ケース８０の蓋部８１を取り外すことで、サブ制御基板１００を取り外すことができる。
【００４９】
このような本実施形態によるパチスロ機１によれば、上述したように、サブ制御基板ケース８０の裏面に形成された突出片８８が、液晶ホルダ６０の凹部６２の周囲の盛り上がり部６１に形成された開口６５に係合することで、サブ制御基板１００を収納するサブ制御基板ケース８０が液晶ホルダ６０の背面の盛り上がり部６１に支持される。このため、ネジなどの締結部材を用いることなく、サブ制御基板ケース８０の突出片８８を液晶ホルダ６０の開口６５に係合させるだけで、サブ制御基板ケース８０を液晶ホルダ６０の背面に容易に固定することができるようになる。従って、従来のようにサブ制御基板ケース８０を手で支持しながらネジなどの締結部材の取り付けや取り外しを行なう必要がなくなるので、サブ制御基板ケース８０の取り付けや取り外しなどの着脱作業は手間がかからなくなって簡単に行えるようになり、また、パチスロ機１を構成する部品点数は少なくなる。この結果、パチスロ機１の製造コストを削減できるようになる。
【００５０】
また、本実施形態では、サブ制御基板ケース８０の液晶ホルダ６０背面への取り付けは、上述したように、突出片８８の先端８６および根元８７を挿入部６３に挿入して、この状態でサブ制御基板ケース８０を液晶ホルダ６０の背面に沿って移動させて、突出片８８の根元８７を係止部６４まで移動させることによって行なうことができるようになる。つまり、突出片８８の根元８７を係止部６４まで移動させると、突出片８８の根元８７だけが係止部６４に嵌入し、突出片８８の曲がった先端８６は、係止部６４の近傍における液晶ホルダ６０の背面の盛り上がり部６１の内側に引っ掛かり、突出片８８が開口６５から抜けなくなって、サブ制御基板ケース８０に形成された突出片８８が液晶ホルダ６０に形成された開口６５に係合されて取り付けられる。このため、突出片８８を開口６５に挿入してサブ制御基板ケース８０を移動させるだけで、サブ制御基板ケース８０を容易に液晶ホルダ６０の背面に支持させることができるようになる。
【００５１】
また、本実施形態では、液晶ホルダ６０の背面の凹部６２に液晶中継基板１２０が収納された状態で、サブ制御基板ケース８０の突出片８８が液晶ホルダ６０の開口６５に係合してサブ制御基板ケース８０が液晶ホルダ６０の背面の盛り上がり部６１に取り付けられると、この取り付けられたサブ制御基板ケース８０によって液晶ホルダ６０の背面の凹部６２が塞がれ、液晶中継基板１２０は、サブ制御基板ケース８０の裏面によって覆われる。このため、液晶中継基板１２０は、サブ制御基板ケース８０を液晶ホルダ６０の背面に取り付けるだけで凹部６２に収納されるようになり、専用の収納ケースなどに収納する必要がなくなる。この結果、液晶中継基板１２０を専用の収納ケースなどに収納する場合に比べて部品点数が減り、パチスロ機１の製造コストを削減できるようになる。
【００５２】
また、本実施形態では、サブ制御基板ケース８０の突出片８８が液晶ホルダ６０の開口６５に係合してサブ制御基板ケース８０が液晶ホルダ６０の背面の盛り上がり部６１に取り付けられた後、ネジ７１などによってサブ制御基板ケース８０の各取付ボス８３〜８５が液晶ホルダ６０の各ボス固定部６６〜６８に締結されることで、サブ制御基板ケース８０は液晶ホルダ６０の背面の盛り上がり部６１に固定される。また、凹部６２に収納された液晶中継基板１２０とサブ制御基板ケース８０に収納されたサブ制御基板１００との電気的接続は、液晶中継基板１２０から盛り上がり部６１の側面の貫通口６１ｂを通り、取付ボス８３とボス固定部６６との締結部を締結しているネジ７１を覆って液晶中継基板１２０の上方に位置するサブ制御基板１００側に折り返される配線部材７２によって行なわれる。このため、取付ボス８３とボス固定部６６とを締結するネジ７１は、液晶中継基板１２０とサブ制御基板１００とを接続する配線部材７２によって覆われるので、ネジ７１による締結を解いてサブ制御基板ケース８０を液晶ホルダ６０の背面から取り外す際には、最初に配線部材７２を取り外して配線部材７２の電気的接続を解き、配線部材７２により覆われていたネジ７１を露出させなければならない。従って、サブ制御基板ケース８０の取り外し時には必ず配線部材７２を取り外さなければならず、配線部材７２を取り外すのを忘れて配線部材７２による各基板１００，１２０間の電気的接続が行なわれたままの状態で、サブ制御基板ケース８０を液晶ホルダ６０の背面に沿って移動させることにより、配線部材７２自体や、配線部材７２と各基板１００，１２０との接続部分のコネクタ１０１，１２２などを破損させてしまう事態を未然に防止できるようになる。
【００５３】
また、本実施形態では、サブ制御基板ケース８０の蓋部８１の表面には、複数の円形状およびスリット状の開口部８１ａが形成されているので、サブ制御基板１００で発生した熱がヒートシンク１０５から複数の開口部８１ａへと通じる放熱路が形成されるようになる。このため、サブ制御基板１００で発生する熱は、この放熱路によって効率的に外部に放出されるようになり、発熱によってサブ制御基板１００の処理動作に支障をきたす事態が未然に防止される。また、サブ制御基板ケース８０のベース部８２には、複数の円形状の開口部８２ａが形成され、サブ制御基板ケース８０とベース部との間に放熱板１１０が設けられており、この放熱板１１０の直立部１１０ｂにヒートシンク１１２が取り付けられているので、サブ制御基板１００の下方の凹部６２に設けられた液晶中継基板１２０で発生した熱は、開口部８２ａから放熱板１１０を経由してヒートシンク１１２へと通じる放熱路を伝って、外部に放出されるようになる。このため、液晶中継基板１２０で発生する熱も、効率的に外部に放出されるようになり、発熱によって液晶中継基板１２０の処理動作に支障をきたす事態が未然に防止される。また、本実施形態では、ヒートシンク１１２にはヒートシンクカバー１１３が設けられているため、作業者が誤って高温のヒートシンク１１２に触れて火傷をしたり、パチスロ機１内部の配線や部品が直接ヒートシンク１１２に触れて故障してしまうといった事態も防止されるようになる。
【００５４】
なお、上記実施形態においては、サブ制御基板ケース８０の裏面の係合部が突出片８８からなり、液晶ホルダ６０の背面の被係合部が開口６５からなる場合を説明したが、本発明はこれに限られるものではない。係合部および被係合部が、いずれか一方が、先端が曲がって突出する突出片からなり、他方が、この突出片の先端および根元が挿入される挿入部と、この挿入部に連続して形成され、挿入部に挿入された突出片の根元のみを通す挿入部より狭い開口面積の係止部とを有する開口からなる構成であっても構わない。
【００５５】
この構成によれば、突出片の曲がった先端が、係止部の近傍における液晶ホルダ６０背面の内側またはサブ制御基板ケース８０裏面の内側に引っ掛かり、上記実施形態と同様の作用効果が奏されることになる。
【産業上の利用可能性】
【００５６】
上記実施形態においては、本発明による遊技機をパチスロ機に適用した場合について説明したが、遊技に関する種々の情報を表示する液晶表示部と、この液晶表示部における表示を制御する制御基板とを備えた他の遊技機に本発明を適用することも可能である。このような遊技機に本発明を適用した場合においても上記実施形態と同様な作用効果が奏される。
【図面の簡単な説明】
【００５７】
【図１】本発明の一実施形態によるパチスロ機の外観を示す正面図である。
【図２】図１に示すパチスロ機の回転リールユニットを示す斜視図である。
【図３】図２に示す回転リールユニットを構成する各ミニリールの構造を示す斜視図である。
【図４】図１に示すパチスロ機の前面ドアの裏面の構造を示す裏面図である。
【図５】図４に示す液晶ホルダの背面の構造を示す拡大斜視図である。
【図６】図５に示す液晶ホルダから取り外されたサブ制御基板ケースを示す平面図である。
【図７】図６に示すサブ制御基板ケースの内部構造を示す分解斜視図である。
【図８】図６に示すサブ制御基板ケースの裏面の構造を示す裏面図である。
【図９】図５に示すサブ制御基板ケースが取り外された状態における液晶ホルダの背面の構造を示す図である。
【図１０】サブ制御基板ケースが取り付けられた液晶ホルダの側面図である。
【図１１】図５のX―X線で液晶ホルダおよびサブ制御基板ケースの一部を破断した矢視断面図である。
【図１２】図１に示すパチスロ機内部の電気的接続構成を示すブロック図である。
【符号の説明】
【００５８】
１…パチスロ機
１１…液晶表示装置
１３…ミニリール表示窓部
４０ａ，４０ｂ，４０ｃ…ミニリール
６０…液晶ホルダ
６１…盛り上がり部
６１ａ，８１ａ，８１ｂ，８１ｃ，８１ｄ，８２ａ…開口部
６１ｂ…貫通口
６２…凹部
６３…挿入部
６４…係止部
６５…開口
６６，６７，６８…ボス固定部
６６ａ，６７ａ，６８ａ…ネジ穴
７１…ネジ
７２…配線部材
８０…サブ制御基板ケース
８１…蓋部
８２…ベース部
８３，８４，８５…取付ボス
８３ａ，８４ａ，８５ａ…挿通孔
８６…先端
８７…根元
８８…突出片
１００…サブ制御基板
１０１，１０２，１０３，１２１，１２２，１４１，１４２，１４３，１４４…コネクタ
１０５，１１２…ヒートシンク
１１０…放熱板
１１３…ヒートシンクカバー
１２０…液晶中継基板
１４０…サブ中継基板
１５０…メインサブ中継基板
１６０…主基板
【図１】
2007312874.tif 000003
【図２】
2007312874.tif 000004
【図３】
2007312874.tif 000005
【図４】
2007312874.tif 000006
【図５】
2007312874.tif 000007
【図６】
2007312874.tif 000008
【図７】
2007312874.tif 000009
【図８】
2007312874.tif 000010
【図９】
2007312874.tif 000011
【図１０】
2007312874.tif 000012
【図１１】
2007312874.tif 000013
【図１２】
2007312874.tif 000014